(57)【要約】【課題】様々な姿勢で光源の適切な冷却が可能な光源装置を提供する。【解決手段】光源装置３１は、光源３１１と、光源３１１を収納し、光軸３１Ａｘを中心とする円周方向に複数の開口部５３Ａが形成された光源用筐体５と、光源用筐体５の外部から空気を導入する導入口を有し、複数の開口部５３Ａに連通可能な流路７Ｆと、複数の開口部５３Ａを選択的に開閉する開閉機構６と、を備え、開閉機構６は、複数の開口部５３Ａを個別に閉塞可能な転動部材６１と、転動部材６１の移動を案内する案内部６２と、を備え、案内部６２は、光軸３１Ａｘが水平面に沿うような第１姿勢において、複数の開口部５３Ａのうち、鉛直方向下側に位置する開口部を転動部材６１が閉塞するように、転動部材６１を案内する。【選択図】図４
2016164831.tif 000002
【特許請求の範囲】
【請求項１】
光源と、
前記光源を収納し、前記光源の光軸を中心とする円周方向に複数の開口部が形成された光源用筐体と、
前記光源用筐体の外部から空気を導入する導入口を有し、前記複数の開口部に連通可能な流路と、
前記複数の開口部を選択的に開閉する開閉機構と、
を備え、
前記開閉機構は、
前記複数の開口部を個別に閉塞可能な転動部材と、
前記転動部材の移動を案内する案内部と、
を備え、
前記案内部は、前記光軸が水平面に沿うような第１姿勢において、前記複数の開口部のうち、鉛直方向下側に位置する開口部を前記転動部材が閉塞するように、前記転動部材を案内することを特徴とする光源装置。
【請求項２】
請求項１に記載の光源装置であって、
前記光源用筐体とで前記流路を形成するダクト部材を備え、
前記案内部は、前記光源用筐体と前記ダクト部材とで形成されることを特徴とする光源装置。
【請求項３】
請求項２に記載の光源装置であって、
前記光源用筐体は、前記光軸を中心とする円筒状の円筒部、および前記円筒部から突出し、前記複数の開口部が形成された筐体壁部を有し、
前記ダクト部材は、前記円筒部を囲むように、前記光軸を中心とする円周方向に立設する立設部、および前記立設部に接続され、前記筐体壁部に対向するダクト壁部を有し、
前記立設部は、先端が前記複数の開口部を囲み、内面が前記先端から遠ざかる程、前記光軸に近づくように傾斜する傾斜面を有して形成され、
前記案内部は、前記円筒部と前記立設部とで形成され、
前記転動部材は、前記円筒部と前記立設部との間に配置されることを特徴とする光源装置。
【請求項４】
請求項３に記載の光源装置であって、
前記ダクト部材は、前記ダクト壁部と繋がり、前記立設部および前記筐体壁部を囲む筒状部を有し、
前記立設部には、当該立設部の内側と外側とを連通させる通気孔が形成され、
前記筒状部の内部は、前記導入口に連通することを特徴とする光源装置。
【請求項５】
請求項３または請求項４に記載の光源装置であって、
前記傾斜面には、前記ダクト壁部から前記開口部に向かって延出し、前記光軸を中心とする円周方向の寸法が前記転動部材の外径より小さな案内溝が形成されていることを特徴とする光源装置。
【請求項６】
請求項３〜請求項５のいずれか一項に記載の光源装置であって、
前記案内部は、前記光軸が水平面に交差する第２姿勢において、前記転動部材を前記筐体壁部から離間する方向に案内し、
前記ダクト部材は、前記第２姿勢において、前記転動部材を前記筐体壁部から所定間隔離間させて支持する支持部を有することを特徴とする光源装置。
【請求項７】
請求項１〜請求項６のいずれか一項に記載の光源装置と、
前記光源装置から射出された光を変調する光変調装置と、
前記光変調装置にて変調された光を投写する投写光学装置と、
前記光源装置に冷却空気を送風する冷却ファンと、
を備えることを特徴とするプロジェクター。
【請求項８】
請求項７に記載のプロジェクターであって、
前記光源および前記投写光学装置は、互いの光軸が交差する方向に延出するように配置されることを特徴とするプロジェクター。
【発明の詳細な説明】
【技術分野】
【０００１】
本発明は、光源装置、およびプロジェクターに関する。
【背景技術】
【０００２】
従来、光源装置から射出された光を画像情報に応じて変調し、変調した光をスクリーン等の投写面に投写するプロジェクターが知られている。この光源装置には、超高圧水銀ランプ等の放電型の光源が用いられている。光源は、発光に伴って発熱し、熱対流等の影響により、上側が下側より高温となるため、冷却空気を光源の上側から送風して上側と下側とで温度差が生じないようにすることが望まれる。
また、使用シーンを広げるために、プロジェクターが様々な姿勢の場合でも冷却空気を光源の上側から送風するように構成した技術が提案されている（例えば、特許文献１参照）。
【０００３】
特許文献１に記載の光源装置は、光源、リフレクター、光源用筐体、および回転部材を備える。
光源用筐体は、光源、リフレクターを収納するとともに、冷却ファンから送風された冷却風を導入可能な複数の導入口、および各導入口に連通する複数の流出口を有している。複数の導入口は、リフレクターの外側に設けられた中心軸の周囲に並設され、複数の流出口は、リフレクターの開口部に沿って形成されている。
回転部材は、平面視円形状に形成され、光源用筐体の中心軸に回転自在に支持されている。また、回転部材は、複数の導入口のいずれかを開放する開口部を有している。
そして、光源は、光源装置の姿勢に応じて回転部材が回転し、鉛直方向上側から送風された冷却風によって冷却される。
【先行技術文献】
【特許文献】
【０００４】
【特許文献１】特開２０１３−２４６１８３号公報
【発明の概要】
【発明が解決しようとする課題】
【０００５】
しかしながら、特許文献１に記載の光源装置は、冷却ファンから送風された冷却風のうち、回転部材の開口部を通過した冷却風を利用する構成なので、回転部材で遮断された冷却風が利用されないという課題がある。すなわち、冷却ファンの能力を充分発揮できないという課題がある。これによって、特許文献１に記載の技術では、大型の冷却ファンの採用によるプロジェクターの大型化や、冷却ファンの高速回転による騒音の増大化の恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る光源装置は、光源と、前記光源を収納し、前記光源の光軸を中心とする円周方向に複数の開口部が形成された光源用筐体と、前記光源用筐体の外部から空気を導入する導入口を有し、前記複数の開口部に連通可能な流路と、前記複数の開口部を選択的に開閉する開閉機構と、を備え、前記開閉機構は、前記複数の開口部を個別に閉塞可能な転動部材と、前記転動部材の移動を案内する案内部と、を備え、前記案内部は、前記光軸が水平面に沿うような第１姿勢において、前記複数の開口部のうち、鉛直方向下側に位置する開口部を前記転動部材が閉塞するように、前記転動部材を案内することを特徴とする。
【０００８】
この構成によれば、光源用筐体には、光軸を中心とする円周方向に複数の開口部が形成され、光源装置は、第１姿勢において、複数の開口部のうち、鉛直方向下側に位置する開口部が転動部材によって閉塞される。これによって、鉛直方向上側に位置する開口部を開口させ、導入口から導入され、流路を流通した空気をこの開口部から光源に向けて送風することができる。すなわち、導入口から導入された空気を光源の上側に向けて送風することができる。よって、光源装置は、第１姿勢であれば、回転されても、光源の適切な冷却が可能となる。
また、光源装置は、転動部材が流路の下流側で開口部を閉塞し、導入口では流入する空気を制限しない構成なので、外部の冷却ファンから送風される空気を有効に利用して光源を冷却することができる。
したがって、冷却ファンの性能を充分発揮させて光源の劣化を効率良く抑制しつつ、使用シーンを広げた光源装置の提供が可能となる。
【０００９】
［適用例２］上記適用例に係る光源装置において、前記光源用筐体とで前記流路を形成するダクト部材を備え、前記案内部は、前記光源用筐体と前記ダクト部材とで形成されることが好ましい。
【００１０】
この構成によれば、案内部を形成するための専用の部材を備える必要がないので、部品点数や組立工数の増加を抑制して開閉機構を備える光源装置の提供が可能となる。
【００１１】
［適用例３］上記適用例に係る光源装置において、前記光源用筐体は、前記光軸を中心とする円筒状の円筒部、および前記円筒部から突出し、前記複数の開口部が形成された筐体壁部を有し、前記ダクト部材は、前記円筒部を囲むように、前記光軸を中心とする円周方向に立設する立設部、および前記立設部に接続され、前記筐体壁部に対向するダクト壁部を有し、前記立設部は、先端が前記複数の開口部を囲み、内面が前記先端から遠ざかる程、前記光軸に近づくように傾斜する傾斜面を有して形成され、前記案内部は、前記円筒部と前記立設部とで形成され、前記転動部材は、前記円筒部と前記立設部との間に配置されることが好ましい。
【００１２】
この構成によれば、転動部材は、上述した円筒部と立設部との間に配置されるので、光軸を中心とする環状の空間、すなわち内側が円筒部、外側が立設部で設定される空間内で移動が可能となり、自重によりこの空間内の下側に位置することとなる。これによって、転動部材は、第１姿勢において、光軸を中心とする円周方向の下側で、かつ、立設部の傾斜面に案内されて筐体壁部に当接することとなる。よって、筐体壁部に設けられた複数の開口部は、鉛直方向上側の開口部が開口し、鉛直方向下側の開口部が転動部材によって閉塞されることとなる。よって、ユーザーの煩わしい操作を必要とすることなく、また、簡単な構成で、光源を適切に冷却可能な光源装置を提供できる。
【００１３】
［適用例４］上記適用例に係る光源装置において、前記ダクト部材は、前記ダクト壁部と繋がり、前記立設部および前記筐体壁部を囲む筒状部を有し、前記立設部には、当該立設部の内側と外側とを連通させる通気孔が形成され、前記筒状部の内部は、前記導入口に連通することが好ましい。
【００１４】
この構成によれば、筒状部および円筒部で囲まれる領域、すなわち、転動部材の移動可能な環状の空間、およびこの空間の外側の空間に流路を形成することが可能となる。すなわち、導入口から導入された空気は、筒状部の内部に流通し、立設部に設けられた通気孔を通って選択的に開口された開口部から光源に向かって送風される。よって、光源装置の一部が著しく突出することを抑制して開閉機構の配置、および流路の形成が可能なので、開閉機構および流路を備えた構成であっても、コンパクトな光源装置を構成することが可能となる。
【００１５】
［適用例５］上記適用例に係る光源装置において、前記傾斜面には、前記ダクト壁部から前記開口部に向かって延出し、前記光軸を中心とする円周方向の寸法が前記転動部材の外径より小さな案内溝が形成されていることが好ましい。
【００１６】
この構成によれば、光源装置の姿勢が変更される際に傾斜面上を転動する転動部材を確実に開口部に案内することが可能となる。
【００１７】
［適用例６］上記適用例に係る光源装置において、前記案内部は、前記光軸が水平面に交差する第２姿勢において、前記転動部材を前記筐体壁部から離間する方向に案内し、前記ダクト部材は、前記第２姿勢において、前記転動部材を前記筐体壁部から所定間隔離間させて支持する支持部を有することが好ましい。
【００１８】
この構成によれば、光軸が水平面に交差（例えば、略直交）する第２姿勢において、転動部材は、筐体壁部、すなわち開口部から所定間隔離間するので、全ての開口部は、開口することとなる。よって、導入口から導入された空気が全ての開口部から光源の側方に向けて送風されるように構成することが可能となる。よって、第２姿勢においても、光源の適切な冷却が可能となる。
【００１９】
［適用例７］本適用例に係るプロジェクターは、上記に記載の光源装置と、前記光源装置から射出された光を変調する光変調装置と、前記光変調装置にて変調された光を投写する投写光学装置と、前記光源装置に冷却空気を送風する冷却ファンと、を備えることを特徴とする。
【００２０】
この構成によれば、プロジェクターは、上述した光源装置を備えているので、光軸に平行な軸を中心に０°〜３６０°の範囲で回転された姿勢において、光源の劣化を抑制して画像の投写が可能となる。よって、壁に沿う投写面への投写はもとより、様々な方向への投写が可能なので、広い用途で、長期に亘って安定した画像の投写が可能なプロジェクターを提供できる。
【００２１】
［適用例８］上記適用例に係るプロジェクターにおいて、前記光源および前記投写光学装置は、互いの光軸が交差する方向に延出するように配置されることが好ましい。
【００２２】
この構成によれば、光源および投写光学装置は、互いの光軸が交差する方向、例えば、略直交する方向に延出するように配置されるので、例えば、第１姿勢において、横長の画像を投写し、第２姿勢で縦長の画像を投写できるプロジェクターの提供が可能となる。よって、さらに使用シーンを広げることが可能なプロジェクターを提供できる。
【図面の簡単な説明】
【００２３】
【図１】本実施形態のプロジェクターの概略構成を示す模式図。
【図２】本実施形態の光源およびリフレクターの断面図。
【図３】本実施形態の光源装置の斜視図。
【図４】本実施形態の光源装置の断面図。
【図５】本実施形態の筐体本体、開閉機構、およびダクト部材の斜視図。
【図６】本実施形態の筐体本体の平面図。
【図７】本実施形態の光源装置の断面図。
【図８】第１姿勢における空気の流れを説明するための図。
【図９】第２姿勢における空気の流れを説明するための図。
【発明を実施するための形態】
【００２４】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。また、本実施形態のプロジェクターは、机上等に載置され、壁面に沿う投写面に横長の画像を投写する横置き姿勢、および投写面に対向する側から見て、横置き姿勢から反時計回りに９０°回転され、投写面に縦長の画像を投写する縦置き姿勢が可能に構成されている。また、本実施形態のプロジェクターは、横長の画像を投写する場合には、横置き姿勢に限らず、投写方向が壁面から床や天井の方向に変わるように回転された姿勢（０°〜３６０°の範囲で回転された姿勢）での投写が可能に構成されている。
【００２５】
〔プロジェクターの主な構成〕
図１は、本実施形態のプロジェクター１の概略構成を示す模式図である。
図１に示すように、プロジェクター１は、外装を構成する外装筐体２、制御部（図示省略）、光源３１１を有する光学ユニット３、および冷却装置４を備える。なお、図示は省略するが、外装筐体２の内部には、さらに、光源３１１や制御部および冷却装置４等に電力を供給する電源装置等が配置されている。
【００２６】
外装筐体２は、詳細な説明は省略するが、複数の部材で構成され、外気を取り込む吸気口、および外装筐体２内部の温まった空気を外部に排気する排気口等が設けられている。
【００２７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置４に備えられたファンの駆動等の制御等行う。
【００２８】
〔光学ユニットの構成〕
光学ユニット３は、制御部による制御の下、光源装置３１から射出された光を光学的に処理して投写する。
光学ユニット３は、図１に示すように、光源３１１を有する光源装置３１、インテグレーター照明光学系３２、色分離光学系３３、リレー光学系３４、電気光学装置３５、投写光学装置としての投写レンズ３６、およびこれらの光学部品３１〜３６を光路上の所定位置に配置する光学部品用筐体３７を備える。
【００２９】
光学ユニット３は、図１に示すように、一方の端部に光源装置３１が着脱可能に配置され、他方の端部に投写レンズ３６が配置される。光源３１１および投写レンズ３６は、互いの光軸（光源３１１の光軸を３１Ａｘ、投写レンズ３６の光軸を３６Ａｘとする）が交差する方向、本実施形態では直交する方向に延出するように配置される。
そして、プロジェクター１は、光軸３１Ａｘが水平面に沿うような第１姿勢で横長の画像を投写し、光軸３１Ａｘが水平面に交差（本実施形態では略直交）する第２姿勢（縦置き姿勢）で縦長の画像を投写する。第１姿勢は、光軸３１Ａｘが水平面に沿う姿勢であれば横置き姿勢に限らず、横置き姿勢から光軸３１Ａｘに平行な軸を中心にプロジェクター１が０°〜３６０°の範囲で回転された全姿勢となる。なお、以下では、説明の便宜上、プロジェクター１において、光源装置３１から光が射出される方向を＋Ｘ側、投写面側を＋Ｙ側（前側）、横置き姿勢における鉛直方向上側を＋Ｚ側として記載する。
【００３０】
光源装置３１は、超高圧水銀ランプやメタルハライドランプ等からなる放電型の光源３１１、リフレクター３１２、平行化レンズ３１３、光源用筐体５、開閉機構６、およびダクト部材７を備える。光源装置３１は、光源３１１から射出された光をリフレクター３１２にて反射した後、平行化レンズ３１３によって射出方向を揃え、インテグレーター照明光学系３２に向けて射出する。
【００３１】
図２は、光源３１１およびリフレクター３１２の断面図である。
光源３１１は、図２に示すように、発光管３１１１、一対の電極３１１２，３１１３、リード線３１１４，３１１５、および金属箔３１１６を備える。
発光管３１１１は、石英ガラス等の耐熱ガラスで形成され、図２に示すように、中央に設けられた球状の発光部３１１１ａ、およびこの発光部３１１１ａの両側から延出する一対の封止部３１１１ｂ，３１１１ｃを有している。
【００３２】
発光部３１１１ａ内には、水銀、希ガス、およびハロゲン等が封入された放電空間が形成されており、一対の電極３１１２，３１１３は、互いの先端がこの放電空間に近接対向して配置されている。
一対の封止部３１１１ｂ，３１１１ｃの内部には、電極３１１２，３１１３それぞれと電気的に接続される一対の金属箔３１１６が配置されている。
リード線３１１４，３１１５は、一端が金属箔３１１６を介して電極３１１２，３１１３それぞれに接続され、他端が封止部３１１１ｂ，３１１１ｃの外部まで延出している。光源３１１は、これらリード線３１１４，３１１５に電力が供給されると、対向している電極３１１２，３１１３の間で放電が発生して光を射出する。
【００３３】
光源３１１は、放電発光に伴う発熱によって対流が生じるため、対向する一対の電極３１１２，３１１３間に生じるアークは、鉛直方向における中心位置が、電極３１１２，３１１３間の中心位置よりも上側にずれたものとなる。そのため、発光部３１１１ａは、上側の方が下側よりも温度上昇が大きく、特に、光軸３１Ａｘが水平面に沿うような第１姿勢においては、発光部３１１１ａの上側表面付近の温度が上昇し易くなる。
そこで、光源の劣化を抑制するためには、発光部３１１１ａの上側から冷却し、発光部３１１１ａの上側と下側とで温度差が生じないようにすることが望まれる。
また、発光部３１１１ａから射出される光の領域内に位置する封止部３１１１ｂも温度上昇し易く、例えば、金属箔３１１６とリード線３１１４との接続部等は温度上昇が大きい。そのため、光源３１１を冷却する際は、発光部３１１１ａだけでなく、封止部３１１１ｂも効果的に冷却することが望まれる。
【００３４】
リフレクター３１２は、図２に示すように、筒状の首状部３１２１および首状部３１２１から断面略凹状に拡がる反射部３１２２を有している。
首状部３１２１には、一方の封止部３１１１ｃが挿通される挿通孔が設けられており、光源３１１は、封止部３１１１ｂが首状部３１２１とは反対側に位置し、封止部３１１１ｃとこの挿通孔との間に接着剤が注入されて、リフレクター３１２に固定される。
反射部３１２２は、内面に金属薄膜が蒸着されており、発光部３１１１ａから射出された光を首状部３１２１とは反対側に反射する。
また、リフレクター３１２には、図２に示すように、首状部３１２１の一部に反射部３１２２の内側から外側に開口する開口部３１２３が形成されている。
【００３５】
図１に戻って、光源用筐体５は、光源３１１およびリフレクター３１２を収納し、平行化レンズ３１３を保持する。光源用筐体５には、光軸３１Ａｘを中心とする円周方向に複数の開口部５３Ａが設けられている。
ダクト部材７は、光源用筐体５とで複数の開口部５３Ａに連通可能な流路７Ｆを形成する。流路７Ｆは、冷却装置４の後述する冷却ファン４１から送風された空気を導入する導入口７１Ｇを有し、複数の開口部５３Ａに連通可能に形成されている。
【００３６】
開閉機構６は、球形に形成された複数の転動部材６１、および光源用筐体５とダクト部材７とで形成され、複数の転動部材６１の移動を案内する案内部６２（図４参照）を備える。開閉機構６は、プロジェクター１の姿勢に応じて光源用筐体５の複数の開口部５３Ａを選択的に開閉する。そして、冷却ファン４１から送風された空気は、流路７Ｆを流通し、プロジェクター１の姿勢に応じて開口する開口部５３Ａから光源用筐体５内に流入し、光源３１１を冷却する。光源用筐体５、開閉機構６およびダクト部材７については後で詳細に説明する。
【００３７】
インテグレーター照明光学系３２は、図１に示すように、レンズアレイ３２１，３２２、偏光変換素子３２３、および重畳レンズ３２４を備える。レンズアレイ３２１，３２２、および重畳レンズ３２４は、光源装置３１から射出された光を後述する液晶ライトバルブ３５１の表面で略均一化させる。偏光変換素子３２３は、レンズアレイ３２２から射出されたランダム光を後述する光変調装置としての液晶ライトバルブ３５１で利用可能な直線偏光光に揃える。
【００３８】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３９】
リレー光学系３４は、入射側レンズ３４１、リレーレンズ３４３、および反射ミラー３４２，３４４を備え、色分離光学系３３で分離されたＲ光をＲ光用の液晶ライトバルブ３５１まで導く機能を有する。なお、光学ユニット３は、リレー光学系３４がＲ光を導く構成としているが、これに限らず、例えば、Ｂ光を導く構成としてもよい。
【００４０】
電気光学装置３５は、液晶ライトバルブ３５１および色合成光学装置としてクロスダイクロイックプリズム３５２を備え、色分離光学系３３で分離された各色光を画像情報に応じて変調し、変調した各色光を合成する。
【００４１】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、および液晶パネルの光入射側に配置された入射側偏光板、液晶パネルの光射出側に配置された射出側偏光板を有している。
【００４２】
液晶ライトバルブ３５１は、図示しない微小画素がマトリクス状に形成された矩形状の画素領域を有し、各画素が表示画像信号に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００４３】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００４４】
投写レンズ３６は、複数のレンズ（図示省略）を有して構成され、クロスダイクロイックプリズム３５２にて合成された光を投写面上に拡大投写する。
【００４５】
冷却装置４は、図１に示すように、光源装置３１の後方（−Ｙ方向）に配置される冷却ファン４１、光源装置３１の前方（＋Ｙ方向）に配置される排気ファン４２、および図示しない吸気ファンや空気を導く部材等を備えている。
冷却ファン４１は、例えば、羽根の回転中心軸に沿う方向から取り込んだ空気を回転接線方向に送風するシロッコファンであり、後で詳細に説明するが、光源装置３１に空気を送風し、光源３１１等を冷却する。
図示しない吸気ファンは、外装筐体２の吸気口から外気を取り込み、取り込まれた外気は、図示しない部材に導かれて液晶ライトバルブ３５１等の光学素子を冷却する。
排気ファン４２は、例えば、軸流ファンであり、光源装置３１や液晶ライトバルブ３５１等を冷却して暖まった外装筐体２内部の空気を、外装筐体２の排気口から外部に排出する。
【００４６】
〔光源用筐体、開閉機構およびダクト部材の構成〕
ここで、光源用筐体５、開閉機構６およびダクト部材７について、詳細に説明する。
先ず、光源用筐体５について説明する。
図３は、光源装置３１の斜視図である。図４は、横置き姿勢における光源装置３１を−Ｙ側から見た断面図である。
光源用筐体５は、図３、図４に示すように、光源用筐体５の＋Ｘ側を形成する筐体本体５Ａ、および光源用筐体５の−Ｘ側を形成し、筐体本体５Ａとで光源３１１およびリフレクター３１２を収納するカバー５Ｂを備える。
【００４７】
図５は、筐体本体５Ａ、開閉機構６、およびダクト部材７の斜視図であり、（ａ）は、＋Ｘ側斜めから見た図、（ｂ）は、−Ｘ側斜めから見た図である。
筐体本体５Ａは、図５（ａ）に示すように、平行化レンズ３１３を保持するレンズ保持部５１、レンズ保持部５１の−Ｘ側に順次形成された円筒部５２、開口形成部５３、およびベース部５４を有している。
【００４８】
円筒部５２は、光軸３１Ａｘを中心とする円筒状で、レンズ保持部５１の外周面から突出しており、開閉機構６における案内部６２の一部を形成する。
開口形成部５３は、円筒部５２の外周面から突出する第１突出部５３１および第１突出部５３１から−Ｙ方向に突出する第２突出部５３２を有している。
【００４９】
そして、第１突出部５３１の＋Ｘ側の立壁（筐体壁部５３Ｗ）には、光軸３１Ａｘを中心とする円周方向に複数の開口部５３Ａが設けられている。開口部５３Ａは、筐体本体５Ａの外側から内側に貫通する貫通孔であり、筐体本体５Ａとダクト部材７とで形成される流路７Ｆを流れた空気が、この開口部５３Ａから筐体本体５Ａ内に流入可能に形成されている。
図６は、＋Ｘ側から見た筐体本体５Ａの平面図である。
各開口部５３Ａは、断面形状が転動部材６１の直径より小さな径の円形に形成されている。複数の開口部５３Ａは、プロジェクター１の横置き姿勢において、図６に示すように、光軸３１Ａｘを通る水平面Ｓｈ、および光軸３１Ａｘを通る鉛直面Ｓｖに対称となる位置に形成されている。
【００５０】
複数の開口部５３Ａは、図６に示すように、５つの開口部５３Ａが円周方向に互いに略等間隔で並設された２つの開口部群５３Ａｘ，５３Ａｙ、および３つの開口部５３Ａが円周方向に互いに略等間隔で並設された４つの開口部群５３Ａａ，５３Ａｂ，５３Ａｃ，５３Ａｄを有している。
具体的に、開口部群５３Ａｘ，５３Ａａ，５３Ａｂは、横置き姿勢において、水平面Ｓｈの上側に位置し、開口部群５３Ａｘは、５つの開口部５３Ａのうちの中央の開口部５３Ａの中心が鉛直面Ｓｖ上に位置するように形成されている。そして、開口部群５３Ａａは、開口部群５３Ａｘの＋Ｙ側に形成され、開口部群５３Ａｂは、開口部群５３Ａｘの−Ｙ側に形成されている。また、開口部群５３Ａａ，５３Ａｂは、３つの開口部５３Ａのうちの最も開口部群５３Ａｘ寄りの開口部５３Ａの中心が、円周方向において、開口部群５３Ａｘの中央の開口部５３Ａの中心に対し略４５°となるように形成されている。
そして、開口部群５３Ａｙ，５３Ａｃ，５３Ａｄは、水平面Ｓｈに対し、開口部群５３Ａｘ，５３Ａａ，５３Ａｂに対称となる位置に形成されている。
【００５１】
また、筐体壁部５３Ｗにおける開口部群５３Ａａと開口部群５３Ａｃとの間の領域５３ＷＬ、および開口部群５３Ａｂと開口部群５３Ａｄとの間の領域５３ＷＲは、筐体壁部５３Ｗにおける他の開口部群間の領域より広く形成されている。また、筐体壁部５３Ｗには、開口部群５３Ａｘ，５３Ａｙ，５３Ａａ，５３Ａｂ，５３Ａｃ，５３Ａｄそれぞれの間に、球面状に窪む受部５３ｈが形成されている。
受部５３ｈは、転動部材６１の一部が嵌合可能に形成されており、第１姿勢において、複数の転動部材６１のうち、開口部５３Ａの閉塞に寄与しない転動部材６１を位置付けるように形成されている。具体的に、受部５３ｈは、図６に示すように、領域５３ＷＬ，５３ＷＲにそれぞれ５つ、開口部群５３Ａａ，５３Ａｘ間、開口部群５３Ａｘ，５３Ａｂ間、開口部群５３Ａｄ，５３Ａｙ間、開口部群５３Ａｙ，５３Ａｃ間にそれぞれ２つ形成されている。すなわち、受部５３ｈは、円周方向において、開口部５３Ａを含めて略等間隔で並設されている。なお、領域５３ＷＬに形成された受部５３ｈを５３ｈＬとする。
【００５２】
転動部材６１は、金属製であり、複数の開口部５３Ａを個別に閉塞可能に構成されている。転動部材６１は、第１姿勢において、光軸３１Ａｘを通る水平面の下側に位置する開口部５３Ａおよび受部５３ｈに位置付けられる数、備えられている。
【００５３】
図５に戻って、第２突出部５３２には、±Ｙ方向に貫通する貫通孔が形成されており、この貫通孔の−Ｙ側の縁部は、冷却ファン４１から送風される空気の一部が導入される補助導入口５３Ｇとなり、貫通孔の＋Ｙ側の縁部は補助導入口５３Ｇから導入された空気が光源用筐体５内部に流入する流入口５３４となる。流入口５３４は、光源３１１における封止部３１１１ｂ（図２参照）の−Ｙ方向に位置するように形成されている。
【００５４】
また、第１突出部５３１の＋Ｙ側には、流入口５３４に対向する位置に、図５（ｂ）に示すように、排出口５３３が形成されている。排出口５３３からは、光源用筐体５内に導入された空気の一部が排出される。なお、排出口５３３には、図示しないメッシュ状の部材が配置されており、発光管３１１１が破損した場合に、破片が光源装置３１の外部に飛散することを防ぐように構成されている。
【００５５】
ベース部５４は、図５（ａ）に示すように、開口形成部５３の外面より突出しており、−Ｘ側の縁部には、平面視矩形状のフランジ部５４１が設けられている。フランジ部５４１の四隅のうち対角となる位置には、ネジが挿通される挿通孔５４１ｈが形成されている。筐体本体５Ａとカバー５Ｂとは、この挿通孔５４１ｈから挿通されたネジによって固定される。
ベース部５４は、図５（ｂ）に示すように、周縁部の内側が＋Ｘ側に窪む凹部５４２を有し、この凹部５４２は、開口形成部５３の内面と繋がるように形成されている。リフレクター３１２は、凹部５４２に配置され、リフレクター３１２に固定された光源３１１は、封止部３１１１ｂ（図２参照）の先端が開口形成部５３の内側に配置される。
【００５６】
次に、ダクト部材７について説明する。
ダクト部材７は、筐体本体５Ａとで流路７Ｆ、および開閉機構６における案内部６２を形成する。
ダクト部材７は、図４、図５に示すように、−Ｘ側が開口しており、＋Ｘ側を形成するダクト壁部７１、筒状部７２、突出部７３、立設部７４および支持部７５を有している。
ダクト壁部７１は、平面視円形状に形成され、中央には、レンズ保持部５１が挿通される挿通孔７１１が形成されている。また、ダクト壁部７１は、筐体壁部５３Ｗの光路後段側（光源３１１から射出された光の光路後段側）に筐体壁部５３Ｗに対向して配置される。
【００５７】
筒状部７２は、図４に示すように、ダクト壁部７１の周縁からベース部５４まで延出しており、第１突出部５３１を囲むように形成されている。
突出部７３は、図５に示すように、筒状部７２の−Ｙ側から−Ｙ方向に突出しており、−Ｘ側に加え、−Ｙ側も開口している。そして、突出部７３は、図３に示すように、この開口する領域内に筐体本体５Ａの第２突出部５３２（補助導入口５３Ｇ）が配置されるように形成されている。そして、突出部７３は、第２突出部５３２との間に形成される開口で導入口７１Ｇを形成する。このように、筒状部７２は、内部が導入口７１Ｇに連通するように形成され、導入口７１Ｇおよび補助導入口５３Ｇは、光源装置３１の−Ｙ側に並設されている。
また、筒状部７２の＋Ｙ側には、図５に示すように、突出部７３に対向する位置に、筐体本体５Ａの排出口５３３と連通する排出口７２１が設けられている。
【００５８】
立設部７４は、図５に示すように、筒状部７２の内側に設けられており、円筒部５２とで、開閉機構６における案内部６２を形成する。立設部７４は、図４に示すように、ダクト壁部７１から筐体壁部５３Ｗに向かって突出し、円筒部５２を囲むように、光軸３１Ａｘを中心とする円周方向に立設している。
立設部７４は、先端が複数の開口部５３Ａを囲み、内面が先端から遠ざかる程（ダクト壁部７１に向かう程）、光軸３１Ａｘに近づくように傾斜する傾斜面７４１を有して形成されている。そして、転動部材６１は、図４に示すように、円筒部５２と立設部７４との間に配置され、光軸３１Ａｘを中心とする環状の空間内で移動可能となる。また、筒状部７２は、立設部７４および筐体壁部５３Ｗを囲むことにもなる。
【００５９】
また、傾斜面７４１には、図５に示すように、ダクト壁部７１から先端に向かって延出する複数の案内溝７４２が形成されている。
複数の案内溝７４２は、転動部材６１を案内する機能を有し、開口部５３Ａおよび受部５３ｈに対応して形成されている。
図７は、光源装置３１のＹ−Ｚ平面における断面図であり、横置き姿勢における光源装置３１を＋Ｘ側から見た図である。
各案内溝７４２は、幅の寸法（光軸３１Ａｘを中心とする円周方向の寸法）が転動部材６１の外径より小さく、図７に示すように、立設部７４の先端が隣接する開口部５３Ａ、受部５３ｈの間に位置するように形成されている。
【００６０】
複数の案内溝７４２のうち、図７に示すように、受部５３ｈＬに対応する案内溝７４２Ｌは、内側（傾斜面７４１側）が凹む凹部であり、この凹部の外側を形成する側壁部７４３は、筒状部７２に接続されている。
そして、複数の案内溝７４２のうち、案内溝７４２Ｌ以外の案内溝７４２ｈは、立設部７４の内側と外側が貫通する孔であり、立設部７４の内側と外側とを連通させる通気孔として機能する。なお、案内溝７４２ｈは、ダクト壁部７１側となる基端から先端まで全て孔で形成されているが、内側が凹んでいれば、隣接する立設部が部分的に繋がるように形成してもよい。
【００６１】
支持部７５は、図５（ｂ）に示すように、立設部７４の内側に設けられており、第２姿勢において、転動部材６１を筐体壁部５３Ｗから所定間隔離間させて支持する。
支持部７５は、図４に示すように、ダクト壁部７１から円筒部５２と立設部７４との間に突出し、光軸３１Ａｘを中心に円筒状に形成されている。支持部７５は、先端が第１姿勢において位置付けられる転動部材６１から所定間隔離間する位置まで延出している。この所定間隔は、第２姿勢において、転動部材６１が筐体壁部５３Ｗ、すなわち開口部５３Ａから離間する間隔であり、転動部材６１の外径より小さく、転動部材６１が離間した開口部５３Ａから空気が流通可能な大きさに設定されている。所定間隔が転動部材６１の外径より小さく設定されていることにより、姿勢が変更された場合でも、１つの案内溝７４２に複数の転動部材６１が位置しないように構成されている。
【００６２】
ダクト部材７は、転動部材６１が円筒部５２と立設部７４との間に配置された状態で筐体本体５Ａにネジ固定される。
そして、円筒部５２と筒状部７２との間には、図７に示すように、導入口７１Ｇに連通する流路７Ｆの一部が形成される。
流路７Ｆは、図４に示すように、光軸３１Ａｘに沿う方向がダクト壁部７１とベース部５４とで囲まれ、図７に示すように、光軸３１Ａｘに直交する方向が、筒状部７２、側壁部７４３および突出部７３と、円筒部５２とで囲まれた領域に形成される。すなわち、流路７Ｆは、転動部材６１の移動可能な環状の空間、およびこの空間の外側の空間に形成される。
【００６３】
図３に戻って、カバー５Ｂは、筐体本体５Ａのフランジ部５４１に組み合わされるように形成され、リフレクター３１２の−Ｘ側を覆う。カバー５Ｂには、図３に示すように、−Ｙ側や＋Ｙ側の壁部に排出口５５（＋Ｙ側の排出口は図示省略）が設けられている。
【００６４】
〔空気の流れ〕
ここで、冷却ファン４１から送風された空気の流れについて説明する。
冷却ファン４１から送風された空気は、導入口７１Ｇおよび補助導入口５３Ｇから流入して光源装置３１を冷却する。
補助導入口５３Ｇから流入した空気は、プロジェクター１の姿勢に係わらず流入口５３４（図５参照）から光源用筐体５内に流入し、封止部３１１１ｂに向けて送風され、金属箔３１１６とリード線３１１４（いずれも図２参照）とが接続部する部位等を主に冷却する。
図７に示すように、導入口７１Ｇから流入した空気は、筒状部７２の内部に流通し、案内溝７４２ｈ（通気孔）を通って立設部７４と円筒部５２との間に流入し、プロジェクター１の姿勢に応じて選択的に開口される開口部５３Ａから光源３１１に向けて送風される。
【００６５】
以下、導入口７１Ｇから流入した空気の流れについて説明する。
プロジェクター１は、前述したように、第１姿勢（横置き姿勢を含む）および第２姿勢（縦置き姿勢）で投写可能に構成され、開閉機構６は、プロジェクター１の姿勢に応じて複数の開口部５３Ａを選択的に開閉する。
先ず、第１姿勢における光源装置３１の空気の流れについて、第１姿勢のうちのいくつかの姿勢を例示して説明する。
図８は、第１姿勢のうちの横置き姿勢、および横置き姿勢から光軸３１Ａｘに平行な軸を中心に順次９０°回転された各姿勢における空気の流れを説明するための図である。具体的に、図８（ａ）は、第１姿勢におけるプロジェクター１を＋Ｘ側から見た模式図であり、横置き姿勢におけるプロジェクター１を実線で示し、他の姿勢を二点鎖線で示した図である。図８（ｂ）は机の上面等の載置面ＴＡに横置き姿勢で載置されたプロジェクター１を＋Ｙ側から見た模式図である。図８（ｃ）〜（ｆ）は、各姿勢における光源装置３１の開口部５３Ａの状態を説明するための図であり、（ｃ）は、横置き姿勢の状態を示す図、（ｄ）〜（ｆ）は、横置き姿勢から順次９０°回転された各姿勢での開口部５３Ａの状態を示す図である。
【００６６】
プロジェクター１は、横置き姿勢の場合、図８（ａ）、（ｂ）に示すように、光軸３１Ａｘ，３６Ａｘが載置面ＴＡに略平行となり、壁面に沿うように配置されたスクリーンＳＣに横長の画像を投写する。
複数の転動部材６１は、横置き姿勢において、図７、図８（ｃ）に示すように、一部が開口部群５３Ａｙ，５３Ａｃ，５３Ａｄを閉塞し、残りが光軸３１Ａｘを通る水平面の下方に位置する受部５３ｈに嵌合する。具体的に、複数の転動部材６１は、図４、図７に示すように、自重で円筒部５２と立設部７４との間の下側の領域に位置し、傾斜面７４１および案内溝７４２で案内されて筐体壁部５３Ｗに当接し、一部が開口部群５３Ａｙ，５３Ａｃ，５３Ａｄを閉塞し、残りが受部５３ｈに嵌合する。すなわち、転動部材６１は、複数の開口部５３Ａのうち、鉛直方向下側に位置する開口部５３Ａを閉塞する。その結果、開口部群５３Ａｘ，５３Ａａ，５３Ａｂ、すなわち複数の開口部５３Ａのうち、鉛直方向上側に位置する開口部５３Ａは開口する。
そして、流路７Ｆを流れた空気は、図４、図７、図８（ｃ）に示すように、開口部群５３Ａｘ，５３Ａａ，５３Ａｂから光源用筐体５内に流入してリフレクター３１２の内面に沿い、発光部３１１１ａの上側に向けて送風される。
【００６７】
プロジェクター１は、横置き姿勢から光軸３１Ａｘに平行な軸を中心に９０°回転（＋Ｘ側から見て時計回りに回転）されると、天井に向けての投写が可能な上向き姿勢となる。複数の転動部材６１は、横置き姿勢から上向き姿勢に変更される際に、傾斜面７４１を転動する。そして、複数の転動部材６１は、案内溝７４２に案内され、図８（ｄ）に示すように、上向き姿勢において、一部が開口部群５３Ａｘ，５３Ａｙの一部および開口部群５３Ａｂ，５３Ａｄを閉塞し、残りが光軸３１Ａｘを通る水平面の下方に位置する受部５３ｈに嵌合する。開口部群５３Ａｘ，５３Ａｙにおいては、それぞれ５つの開口部５３Ａのうち、下側の２つの開口部５３Ａが閉塞される。すなわち、転動部材６１は、複数の開口部５３Ａのうち、鉛直方向下側に位置する開口部５３Ａを閉塞する。その結果、開口部群５３Ａａ，５３Ａｃ、すなわち、複数の開口部５３Ａのうち、鉛直方向上側に位置する開口部５３Ａは開口する。
そして、流路７Ｆを流れた空気は、図８（ｄ）に示すように、開口部群５３Ａａ，５３Ａｃから光源３１１の上側に向けて送風される。
【００６８】
プロジェクター１は、上向き姿勢からさらに９０°回転（＋Ｘ側から見て時計回りに回転）されると、天井等に吊り下げられる天吊り姿勢での投写が可能となる。転動部材６１は、上向き姿勢から天吊り姿勢に変更される際に、傾斜面７４１を転動する。
天吊り姿勢は、横置き姿勢から１８０°回転された姿勢であり、転動部材６１は、天吊り姿勢において、横置き姿勢とは対称に開口部５３Ａを閉塞する。すなわち、天吊り姿勢において、転動部材６１は、複数の開口部５３Ａのうち、鉛直方向下側に位置する開口部５３Ａ、すなわち開口部群５３Ａｘ，５３Ａａ，５３Ａｂを閉塞する。その結果、図８（ｅ）に示すように、天吊り姿勢において、複数の開口部５３Ａのうち、鉛直方向上側に位置する開口部５３Ａ、すなわち開口部群５３Ａｙ，５３Ａｃ，５３Ａｄは開口する。
そして、流路７Ｆを流れた空気は、図８（ｅ）に示すように、開口部群５３Ａｙ，５３Ａｃ，５３Ａｄから発光部３１１１ａの上側に向けて送風される。
【００６９】
プロジェクター１は、天吊り姿勢からさらに９０°回転（＋Ｘ側から見て時計回りに回転）されると、床面へ向けての投写が可能な下向き姿勢となる。転動部材６１は、天吊り姿勢から下向き姿勢に変更される際に、傾斜面７４１を転動する。
下向き姿勢は、上向き姿勢から１８０°回転された姿勢であり、転動部材６１は、下向き姿勢において、上向き姿勢とは対称に開口部５３Ａを閉塞する。すなわち、下向き姿勢において、転動部材６１は、複数の開口部５３Ａのうち、鉛直方向下側に位置する開口部５３Ａ、すなわち開口部群５３Ａｘ，５３Ａｙの一部および開口部群５３Ａａ，５３Ａｃを閉塞する。開口部群５３Ａｘ，５３Ａｙにおいては、それぞれ５つの開口部５３Ａのうち、下側の２つの開口部５３Ａが閉塞される。その結果、図８（ｆ）に示すように、下向き姿勢において、複数の開口部５３Ａのうち、鉛直方向上側に位置する開口部５３Ａ、すなわち開口部群５３Ａｂ，５３Ａｄは開口する。
そして、流路７Ｆを流れた空気は、図８（ｆ）に示すように、開口部群５３Ａｂ，５３Ａｄから光源３１１の上側に向けて送風される。
【００７０】
詳細な説明は省略するが、前述した４つの姿勢の間の姿勢（例えば横置き姿勢と上向き姿勢との間の姿勢等）であっても、第１姿勢であれば、転動部材６１は、鉛直方向下側に位置する開口部５３Ａを閉塞する。その結果、鉛直方向上側に位置する開口部５３Ａが開口し、流路７Ｆを流れた空気は、開口した開口部５３Ａから発光部３１１１ａの上側に向けて送風される。
【００７１】
このように、開閉機構６は、複数の転動部材６１および案内部６２（円筒部５２および立設部７４）を備え、第１姿勢において、案内部６２が複数の開口部５３Ａのうち、鉛直方向下側に位置する開口部が閉塞するように、複数の転動部材６１を案内する。その結果、鉛直方向上側に位置する開口部が開口し、導入口７１Ｇから導入された空気は、開口した開口部５３Ａから発光部３１１１ａの上側に向けて送風される。
【００７２】
そして、光源３１１を冷却して温まった空気は、排出口５３３、７１２（図５参照）や、リフレクター３１２に設けられた開口部３１２３（図２参照）、およびカバー５Ｂに設けられた排出口５５（図３参照）を介して光源装置３１外部に排出される。そして、光源装置３１外部に排出された空気は、排気ファン４２によって外装筐体２外部に排出される。
また、光軸３１Ａｘが水平面に対して多少傾斜した姿勢、すなわち、転動部材６１が傾斜面７４１、案内溝７４２に案内されて筐体壁部５３Ｗに当接する程度の傾斜であれば、転動部材６１は、前述したように動作するので、導入口７１Ｇから流入した空気は、発光部３１１１ａの上側に向けて送風される。
【００７３】
次に、第２姿勢（縦置き姿勢）における光源装置３１の空気の流れについて説明する。
図９は、第２姿勢における光源装置３１の空気の流れを説明するための図である。具体的に、図９（ａ）は、載置面ＴＡに縦置き姿勢で載置されたプロジェクター１を＋Ｙ側から見た模式図、図９（ｂ）は、第２姿勢における光源装置３１の断面図である。
本実施形態におけるプロジェクター１の第２姿勢は、図９（ａ）に示すように、光源装置３１が投写レンズ３６の上方に位置する姿勢であり、プロジェクター１は、この第２姿勢で壁面に沿うように配置されたスクリーンＳＣ（図９では図示省略）に縦長の画像を投写する。
【００７４】
第２姿勢において、転動部材６１は、図９（ｂ）に示すように、案内部６２に案内されて自重によって筐体壁部５３Ｗから離間し、支持部７５に支持される。その結果、全ての開口部５３Ａは開口した状態となり、流路７Ｆを流れた空気は、図９（ｂ）に示すように、開口部５３Ａから光源用筐体５内に流入してリフレクター３１２の内面に沿い、発光部３１１１ａの側方に向けて送風される。
【００７５】
以上説明したように、本実施形態によれば、以下の効果を得ることができる。
（１）光源装置３１は、第１姿勢において、冷却ファン４１から送風された空気が発光部３１１１ａの上側に向けて送風されるように構成されている。よって、第１姿勢であれば、前述したように回転された姿勢でも、光源３１１を適切に冷却することが可能となる。
また、光源装置３１は、開閉機構６が流路７Ｆの下流側で開口部５３Ａを開閉し、導入口７１Ｇでは流入する空気を制限しない構成なので、冷却ファン４１から送風される空気を有効に利用して光源３１１を冷却することができる。
したがって、冷却ファン４１の性能を充分発揮させて光源３１１の劣化を効率良く抑制しつつ、使用シーンを広げた光源装置３１の提供が可能となる。
【００７６】
（２）プロジェクター１は、横置き姿勢を含む前述した０°〜３６０°の範囲で回転された姿勢において、光源３１１の劣化が抑制されるので、壁に沿う投写面への投写はもとより、様々な方向への投写、例えば、エントランスホールの床や天井への投写、あるいはそれらの間に位置する投写面への投写等、広い用途で、長期に亘って安定した画像の投写が可能となる。
【００７７】
（３）案内部６２は、光源用筐体５とダクト部材７とで形成されている。これによって、案内部６２を形成するための専用の部材を備える必要がないので、部品点数や組立工数の増加を抑制して開閉機構６を備える光源装置３１の提供が可能となる。
【００７８】
（４）転動部材６１は、光軸３１Ａｘを中心とする環状の空間内で移動が可能となり、自重によりこの空間内の下側に位置することとなる。そして、転動部材６１は、第１姿勢において、光軸３１Ａｘを中心とする円周方向の下側で、かつ、立設部７４の傾斜面７４１に案内されて筐体壁部５３Ｗに当接する。よって、筐体壁部５３Ｗに設けられた複数の開口部５３Ａは、鉛直方向上側の開口部５３Ａが開口し、鉛直方向下側の開口部５３Ａが転動部材６１によって閉塞される。よって、ユーザーの煩わしい操作を必要とすることなく、また、簡単な構成で、光源を適切に冷却可能な光源装置を提供できる。
【００７９】
（５）転動部材６１の移動可能な環状の空間、およびこの空間の外側の空間に流路７Ｆが形成される。よって、光源装置３１の一部が著しく突出することを抑制して開閉機構６の配置、および流路７Ｆが形成されるで、開閉機構６および流路７Ｆを備えた構成であっても、コンパクトな光源装置３１を構成することが可能となる。また、プロジェクター１は、この光源装置３１を備えるので、大型化が抑制される。
【００８０】
（６）傾斜面７４１には、案内溝７４２が形成されているので、光源装置３１の姿勢が変更される際に傾斜面７４１上を転動する転動部材６１を確実に開口部５３Ａや受部５３ｈに案内することが可能となる。
【００８１】
（７）ダクト部材７は、支持部７５を有しているので、第２姿勢において、全ての転動部材６１を筐体壁部５３Ｗから所定間隔離間させることができる。これによって、導入口７１Ｇから導入された空気が全ての開口部５３Ａから光源の側方に向けて送風されるので、第２姿勢においても、発光部３１１１ａの適切な冷却が可能となる。
【００８２】
（８）光源装置３１は、第１姿勢および第２姿勢で発光部３１１１ａが適切に冷却されるので、プロジェクター１は横長の画像はもとより縦長の画像を安定して投写することができる。
【００８３】
（９）光源装置３１は、導入口７１Ｇに並設された補助導入口５３Ｇから導入された空気で封止部３１１１ｂが冷却される。これによって、第１姿勢および第２姿勢において、光源３１１は、さらに効率良く冷却される。
【００８４】
（変形例）
なお、前記実施形態は、以下のように変更してもよい。
前記実施形態の開閉機構６は、転動部材６１を複数備えて構成されているが、１つの転動部材を備える構成としてもよい。
また、第２姿勢で投写機能を有さないプロジェクターにおいては、転動部材を球形に限らず円柱状に形成してもよい。
【００８５】
前記実施形態の光源装置３１は、転動部材６１が光源用筐体５の外側に配置されるように構成されているが、この構成に限らない。例えば、光源用筐体の内側に案内部の一部を形成する部材を備え、転動部材が光源用筐体の内側に配置されるように構成してもよい。この構成の場合、光源装置３１が投写レンズ３６の下方に位置する状態を第２姿勢とすることが可能になる。
【００８６】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００８７】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００８８】
前記実施形態のプロジェクター１は、１つの光源装置３１を備えているが、複数の光源装置３１を備えたプロジェクターにも適用できる。
【符号の説明】
【００８９】
１…プロジェクター、２…外装筐体、３…光学ユニット、４…冷却装置、５…光源用筐体、５Ａ…筐体本体、５Ｂ…カバー、６…開閉機構、７…ダクト部材、７Ｆ…流路、３１…光源装置、３１Ａｘ…光軸、３６…投写レンズ、４１…冷却ファン、４２…排気ファン、５２…円筒部、５３Ａ…開口部、５３Ａａ，５３Ａｂ，５３Ａｃ，５３Ａｄ，５３Ａｘ，５３Ａｙ…開口部群、５３Ｗ…筐体壁部、６１…転動部材、６２…案内部、７１…ダクト壁部、７１Ｇ…導入口、７２…筒状部、７３…突出部、７４…立設部、７５…支持部、３１１…光源、３５１，３５１Ｂ，３５１Ｇ，３５１Ｒ…液晶ライトバルブ、７４１…傾斜面、７４２，７４２Ｌ，７４２ｈ…案内溝、３１１１ａ…発光部。
【図１】
2016164831.tif 000003
【図２】
2016164831.tif 000004
【図３】
2016164831.tif 000005
【図４】
2016164831.tif 000006
【図５】
2016164831.tif 000007
【図６】
2016164831.tif 000008
【図７】
2016164831.tif 000009
【図８】
2016164831.tif 000010
【図９】
2016164831.tif 000011